(57)【特許請求の範囲】
【請求項１】
底部と底部の一方の相対する土手部にヒンジ連結された一方の相対する側壁と底部のもう一方の相対する土手部にヒンジ連結されたもう一方の相対する側壁とから構成されており、箱型に組み立てられた状態から、先ず最初に、一方の相対する側壁を、底部に重なるように倒し、次いで、もう一方の相対する側壁を、先に倒された側壁に重なるように倒すことにより折り畳むように構成されているり畳みコンテナーにおいて、折り畳みコンテナーが折り畳まれ、一方の側壁が、略水平に倒された状態においては、一方の側壁に配設された第２雄ヒンジ部材を構成する水平側壁持ち上がり防止用ブロック部が、底部の一方の土手部に配設された第２雌ヒンジ部材を構成する水平側壁持ち上がり防止用フックの庇部に当接、或いは、水平側壁持ち上がり防止用フックの庇部に接近して位置するように構成されており、また、一方の側壁が、略垂直に立てられた状態においては、一方の側壁に配設された第１雄ヒンジ部材を構成する垂直側壁持ち上がり防止用ブロック部が、底部の一方の土手部に配設された第１雌ヒンジ部材を構成する垂直側壁持ち上がり防止用フックの庇部に入り込み、垂直側壁持ち上がり防止用フックの庇部に当接、或いは、垂直側壁持ち上がり防止用フックの庇部に接近して位置するように構成されていることを特徴とする折り畳みコンテナー。
【発明の詳細な説明】
【技術分野】
【０００１】
本発明は、底部と、底部の一方の相対する土手部にヒンジ連結された一方の相対する側壁と、底部のもう一方の相対する土手部にヒンジ連結されたもう一方の相対する側壁とから構成されている折り畳みコンテナーに関するものであり、箱型に組み立てられた状態から、一方の相対する側壁を底部に重なるように倒し、次いで、もう一方の相対する側壁を、先に倒された一方の相対する側壁に重なるように倒すことにより、折り畳むことができるように構成されている。
【背景技術】
【０００２】
側壁に形成された雄ヒンジ部材が、底部の土手部に形成された雌ヒンジ部材に対して、上下方向に自由に移動できないタイプ、換言すれば、雄ヒンジ部材と雌ヒンジ部材とによるヒンジ連結部が、上下方向に、実質的に移動できないタイプの折り畳みコンテナーにおいて、一方の相対する側壁を倒した際に、側壁の先端部が互いに重なるように構成されている場合には、先に倒された側壁の上に重ねられる側壁が、ヒンジ連結部を支点として、傾斜して倒されることになる。このように、側壁が、傾斜して倒されるように構成された折り畳みコンテナーにおいては、折り畳まれた状態における折り畳みコンテナーの高さが高くなり、従って、折り畳みコンテナーの収容効率が低下することになる。
【０００３】
上述した課題を解決するために、底部の土手部に形成された雌ヒンジ部の凹部の深さを深くして、底部の土手部に形成された雌ヒンジ部に対して、側壁に形成された雄ヒンジ部材が、雌ヒンジ部の凹部内を、上下方向に自由に移動できるようにしたタイプ、換言すれば、雄ヒンジ部材と雌ヒンジ部材とによるヒンジ連結部が、上下方向に、移動可能なタイプの折り畳みコンテナーが知られているが、このようなタイプの折り畳みコンテナーが箱型に組み立てられた際には、ヒンジ連結部が、上下方向に移動可能であるために、作業者が、側壁を持って、箱型に組み立てられた折り畳みコンテナーを持ち上げようとすると、側壁が、底部から持ち上がるという問題があった。
【０００４】
上述した課題を解決するために、本出願人は、本出願人の先の出願である特許文献１において、側壁に形成された雄ヒンジ部材に、側壁の回動支点となるヒンジブロックと箱型に組み立てられた状態における側壁の持ち上がりを阻止するための係合ブロックとを形成した折り畳みコンテナーを提案した。
【０００５】
【特許文献１】特開２００６−１８８２７２号公報
【発明の開示】
【発明が解決しようとする課題】
【０００６】
上述した折り畳みコンテナーにおいては、側壁に形成された雄ヒンジ部材を構成する支持片の下部にヒンジブロックが形成されており、また、支持片の上部に、持ち上がりを阻止するための係合ブロックが形成されているために、倒された状態の側壁を、垂直方向に立てる際に、係合ブロックが、底部の土手部に当接したり、或いは、土手部に乗り上げる等して、倒された状態の側壁を、迅速に、且つ、確実に、略垂直に立てることができないという問題があった。
【０００７】
また、雄ヒンジ部材を構成する支持片に、ヒンジブロックと係合ブロックとを、支持片の上下に、それぞれ形成するために、支持片を長くしなければならず、従って、支持片、ひいては、雄ヒンジ部材が損傷し易くなるという問題があった。
【０００８】
更には、雄ヒンジ部材を構成する支持片には、ヒンジブロックと係合ブロックとが形成されているために、側壁を成形するための金型が複雑になり、従って、金型のコストが上昇し、ひいては、折り畳みコンテナーの製造コストが上昇するという問題があった。
【０００９】
本発明の目的は、上述した従来の折り畳みコンテナーが有する課題を解決することにある。
【課題を解決するための手段】
【００１０】
本発明は、上述した目的を達成するために、底部と底部の一方の相対する土手部にヒンジ連結された一方の相対する側壁と底部のもう一方の相対する土手部にヒンジ連結されたもう一方の相対する側壁とから構成されており、箱型に組み立てられた状態から、先ず最初に、一方の相対する側壁を、底部に重なるように倒し、次いで、もう一方の相対する側壁を、先に倒された側壁に重なるように倒すことにより折り畳むように構成されているり畳みコンテナーにおいて、折り畳みコンテナーが折り畳まれ、一方の側壁が、略水平に倒された状態においては、一方の側壁に配設された第２雄ヒンジ部材を構成する水平側壁持ち上がり防止用ブロック部が、底部の一方の土手部に配設された第２雌ヒンジ部材を構成する水平側壁持ち上がり防止用フックの庇部に当接、或いは、水平側壁持ち上がり防止用フックの庇部に接近して位置するように構成されており、また、一方の側壁が、略垂直に立てられた状態においては、一方の側壁に配設された第１雄ヒンジ部材を構成する垂直側壁持ち上がり防止用ブロック部が、底部の一方の土手部に配設された第１雌ヒンジ部材を構成する垂直側壁持ち上がり防止用フックの庇部に入り込み、垂直側壁持ち上がり防止用フックの庇部に当接、或いは、垂直側壁持ち上がり防止用フックの庇部に接近して位置するように構成したものである。
【発明の効果】
【００１１】
底部と側壁とのヒンジ連結部のうち、少なくとも１つのヒンジ連結部を、水平状態の側壁と底部とのヒンジ連結が解除されないように、底部の土手部に配設された第１雌ヒンジ部材と側壁に配設された第１雄ヒンジ部材とにより構成し、また、底部と側壁とのヒンジ連結部のうち、少なくとも１つのヒンジ連結部を、垂直状態の側壁と底部とのヒンジ連結が解除されないように、底部の土手部に配設された第２雌ヒンジ部材と側壁に配設された第２雄ヒンジ部材とにより構成したので、上述した従来の折り畳みコンテナーのように、倒された状態の側壁を、垂直方向に立てる際に、係合ブロックが、底部の土手部に当接したり、或いは、土手部に乗り上げるようなことがなく、従って、倒された状態の側壁を、迅速に、且つ、確実に、略垂直に立てることができる。
【００１２】
側壁に配設された第１雄ヒンジ部材及び第２雄ヒンジ部材には、上述した特許文献１に記載されているような係合ブロックが形成されていないので、支持ブロックの下端フランジからの長さを短くすることができ、従って、第１雄ヒンジ部材及び第２雄ヒンジ部材が損傷するようなことを防止することができる。
【実施例】
【００１３】
以下に、本発明の実施例について説明するが、本発明の趣旨を越えない限り、何ら、本実施例に限定されるものではない。
【００１４】
先ず最初に、図１及び図２を用いて、本発明の折り畳みコンテナーの全体構成について説明する。
【００１５】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、低く形成されている。
【００１６】
図３に示されているように、長辺側土手部１ａには、後述する第１雌ヒンジ部材Ｈ１’及び第２雌ヒンジ部材Ｈ１”が配設されており、また、同様に、短辺側土手部１ｂにも、第１雌ヒンジ部材Ｈ１’及び第２雌ヒンジ部材Ｈ１”が配設されている。
【００１７】
２は、長側壁であり、図６に示されているように、長側壁２の下端フランジ２ａの裏面には、底部１の長辺側土手部１ａに配設された第１雌ヒンジ部材Ｈ１’に対応して、後述する第１雄ヒンジ部材Ｈ２’が配設されているとともに、底部１の長辺側土手部１ａに配設された第２雌ヒンジ部材Ｈ１”に対応して、後述する第２雄ヒンジ部材Ｈ２”が配設されている。３は、短側壁であり、短側壁３の下端フランジ３ａの裏面にも、底部１の短側壁土手部１ｂに配設された第１雌ヒンジ部材Ｈ１’に対応して、第１雄ヒンジ部材Ｈ２’が配設されているとともに、底部１の短側壁土手部１ｂに配設された第２雌ヒンジ部材Ｈ１”に対応して、第２雄ヒンジ部材Ｈ２”が配設されている。
【００１８】
長側壁２の下端フランジ２ａに配設された第１雄ヒンジ部材Ｈ２’と底部１の長辺側土手部１ａに配設された第１雌ヒンジ部材Ｈ１’とを連結するとともに、長側壁２の下端フランジ２ａに配設された第２雄ヒンジ部材Ｈ２”と底部１の長辺側土手部１ａに配設された第２雌ヒンジ部材Ｈ１”とを連結することにより、長側壁２が、底部１にヒンジ連結され、また、短側壁３の下端フランジ３ａに配設された第１雄ヒンジ部材Ｈ２’と底部１の短辺側土手部１ｂに配設された第１雌ヒンジ部材Ｈ１’とを連結するとともに、短側壁３の下端フランジ３ａに配設された第２雄ヒンジ部材Ｈ２”と底部１の短辺側土手部１ｂに配設された第２雌ヒンジ部材Ｈ１”とを連結することにより、短側壁３が、底部１にヒンジ連結されて、折り畳みコンテナーが構成されることになる。
【００１９】
図２に示されているように、折り畳まれた状態から、図１に示されているように、箱型に組み立てるには、先ず最初に、水平状態の短側壁３を、略垂直に立て、次いで、長側壁２を、略垂直に立てることにより、折り畳みコンテナーが、箱型に組み立てられることになる。また、箱型に組み立てられた折り畳みコンテナーを、折り畳むには、先ず最初に、長側壁２を底部１に重なるように倒し、次いで、短側壁３を、先に倒された長側壁２に重なるように倒すことにより、折り畳みコンテナーが、折り畳まれることになる。
【００２０】
折り畳まれた状態においては、長側壁２の先端部が、互いに部分的に重なり合うように構成されており、同様に、短側壁３の先端部も、互いに部分的に重なり合うように構成されている。
【００２１】
次に、図３〜図５を用いて、底部１の長辺側土手部１ａ及び短辺側土手部１ｂに配設されている第１雌ヒンジ部材Ｈ１’及び第２雌ヒンジ部材Ｈ１”について説明する。以下においては、長辺側土手部１ａに配設されている第１雌ヒンジ部材Ｈ１’及び第２雌ヒンジ部材Ｈ１”について説明し、短辺側土手部１ｂに配設されている第１雌ヒンジ部材Ｈ１’及び第２雌ヒンジ部材Ｈ１”については、実質的に同じであるので、その詳細な説明する省略する。
【００２２】
先ず最初に、図３及び図４を用いて、第１雌ヒンジ部材Ｈ１’について説明する。
【００２３】
第１雌ヒンジ部材Ｈ１’は、後述する、長側壁２に配設された第１雄ヒンジ部材Ｈ２’が嵌合可能な、平面形状が長方形の縦孔４を有しており、この縦孔４は、長辺側土手部１ａの外壁１ａ１を上方に延在することにより形成された外側垂直壁４ａと、長辺側土手部１ａの内壁１ａ２を上方に延在することにより形成された内側垂直壁４ｂと、外側垂直壁４ａと内側垂直壁４ｂとを連結する相対する垂直短壁４ｃとにより囲まれている。また、長辺側土手部１ａの内壁１ａ２及び内側垂直壁４ｂには、縦孔４に連接されているとともに、内側垂直壁４ｂの上端から底部１の底板１ｃ或いは底板１ｃ付近まで延在する切欠き凹部５が形成されている。
【００２４】
切欠き凹部５を形成する相対する側端面５ａの上端部には、外側垂直壁４ａと平行に、フック支持突片６が形成されており、フック支持突片６の内面（外側垂直壁４ａと対向する面）には、ブロック状のフック７が突設されている。このフック７は、垂直状態に立てられた状態の長側壁２の持ち上がりを防止するためのものであり、以下、このフック７を、便宜的に、垂直側壁持ち上がり防止用フックと称する。
【００２５】
上述した縦孔４、切欠き凹部５、フック支持突片６及び垂直側壁持ち上がり防止用フック７等により、第１雌ヒンジ部材Ｈ１’が構成されている。
【００２６】
次に、図３及び図５を用いて、第２雌ヒンジ部材Ｈ１”について説明する。
【００２７】
第２雌ヒンジ部材Ｈ１”には、後述する、長側壁２に配設された第２雄ヒンジ部材Ｈ２”が嵌合可能な、平面形状が長方形の縦孔４０が形成されており、この縦孔４０は、長辺側土手部１ａの外壁１ａ１を上方に延在することにより形成された外側垂直壁４０ａと、長辺側土手部１ａの内壁１ａ２を上方に延在することにより形成された内側垂直壁４０ｂと、外側垂直壁４０ａと内側垂直壁４０ｂとを連結する相対する垂直短壁４０ｃとにより囲まれている。縦孔４０には、底部１の底板１ｃより、上方に位置する底板部８が形成されているとともに、長辺側土手部１ａの内壁１ａ２及び内側垂直壁４０ｂには、縦孔４０に連接されているとともに、内側垂直壁４０ｂの上端から底板部８まで延在する切欠き凹部５０が形成されている。なお、底板部８の中央部及び内壁１ａ２には、間隙Ｄ１が形成されている。
【００２８】
また、切欠き凹部５０を挟んで位置する内側垂直壁４０ｂの内面（外側垂直壁４０ａと対向する面）には、ブロック状のフック９が突設されている。このフック９は、水平状態に折り畳まれた状態の長側壁２の持ち上がりを防止するためのものであり、以下、このフック９を、便宜的に、水平側壁持ち上がり防止用フックと称する。
【００２９】
上述した縦孔４０、切欠き凹部５０及び水平側壁持ち上がり防止用フック９等により、第２雌ヒンジ部材Ｈ１”が構成されている。
【００３０】
次に、図６〜図１０を用いて、長側壁２に配設されている第１雄ヒンジ部材Ｈ２’及び第２雄ヒンジ部材Ｈ２”について説明する。なお、短側壁３にも、同様の第１雄ヒンジ部材Ｈ２’及び第２雄ヒンジ部材Ｈ２”が配設されている。
【００３１】
先ず最初に、図６〜図８を用いて、第１雄ヒンジ部材Ｈ２’について説明する。
【００３２】
長側壁２の板状部２ｂに垂直な下端フランジ２ａの裏面には、第１雄ヒンジ部材Ｈ２’が配設されており、第１雄ヒンジ部材Ｈ２’は、下端フランジ２ａの裏面に垂設された支持ブロック１０を有している。
【００３３】
長側壁２の板状部２ｂに対して垂直な、支持ブロック１０の相対する側面１０ａの下端部には、該側面１０ａに対して垂直なブロック部１１が形成されており、このブロック部１１には、支持ブロック１０の内面（箱型に組み立てられた折り畳みコンテナーの内部側に位置する面）１０ｂを越える係止膨出部１１ａが形成されている。長側壁２が、略垂直に立てられた際には、ブロック部１１が、底部１の長辺側土手部１ａに配設された第１雌ヒンジ部材Ｈ１’を構成する垂直側壁持ち上がり防止用フック７の庇部７ａに入り込み、垂直側壁持ち上がり防止用フック７の庇部７ａに当接、或いは、垂直側壁持ち上がり防止用フック７の庇部７ａに接近して位置するように構成されている。以下、このブロック部１１を、垂直側壁持ち上がり防止用ブロック部と称する。
【００３４】
上述した長側壁２の下端フランジ２ａに配設された支持ブロック１０と垂直側壁持ち上がり防止用ブロック部１１とにより、第１雄ヒンジ部材Ｈ２’が構成されている。
【００３５】
次に、図６、図９及び図１０を用いて、第２雄ヒンジ部材Ｈ２”について説明する。
【００３６】
長側壁２の板状部２ｂに垂直な下端フランジ２ａの裏面には、第２雄ヒンジ部材Ｈ２”が配設されており、第２雄ヒンジ部材Ｈ２”は、下端フランジ２ａの裏面１垂設された支持ブロック１００を有している。
【００３７】
長側壁２の板状部２ｂに対して垂直な、支持ブロック１００の相対する側面１００ａの下端部には、該側面１００ａに対して垂直なブロック部１１０が形成されており、このブロック部１１０は、折り畳まれた水平状態にある長側壁２が持ち上げられた際には、底部１の長辺側土手部１ａに配設された第２雌ヒンジ部材Ｈ１”を構成する水平側壁持ち上がり防止用フック９の庇部９ａに当接するようにように構成されている。以下、このブロック部１１０を、水平側壁持ち上がり防止用ブロック部と称する。水平側壁持ち上がり防止用ブロック部１１０の内面（箱型に組み立てられた折り畳みコンテナーの内部側に位置する面）１１０ａは、支持ブロック１００の内面（箱型に組み立てられた折り畳みコンテナーの内部側に位置する面）１００ｂと略面一に形成されている。
【００３８】
上述した長側壁２の下端フランジ２ａに配設された支持ブロック１００と水平側壁持ち上がり防止用ブロック部１１０とにより、第２雄ヒンジ部材Ｈ２”が構成されている。
【００３９】
上述した特許文献１に記載されているように．長側壁２の下端フランジ２ａに配設された第１雄ヒンジ部材Ｈ２’と底部１の長辺側土手部１ａに配設された第１雌ヒンジ部材Ｈ１’とを連結するとともに、長側壁２の下端フランジ２ａに配設された第２雄ヒンジ部材Ｈ２”と底部１の長辺側土手部１ａに配設された第２雌ヒンジ部材Ｈ１”とを連結することにより、長側壁２が、底部１にヒンジ連結され、また、短側壁３の下端フランジ３ａに配設された第１雄ヒンジ部材Ｈ２’と底部１の短辺側土手部１ｂに配設された第１雌ヒンジ部材Ｈ１’とを連結するとともに、短側壁３の下端フランジ３ａに配設された第２雄ヒンジ部材Ｈ２”と底部１の短辺側土手部１ｂに配設された第２雌ヒンジ部材Ｈ１’とを連結することにより、短側壁３が、底部１にヒンジ連結されることになる。
【００４０】
次に、図１１及び図１２を用いて、折り畳みコンテナーが、図２に示されているように、折り畳まれた状態における、底部１に配設された第１雌ヒンジ部材Ｈ１’と長側壁２に配設された第１雄ヒンジ部材Ｈ２’とのヒンジ連結部及び底部１に配設された第２雌ヒンジ部材Ｈ１”と長側壁２に配設された第２雄ヒンジ部材Ｈ２”とのヒンジ連結部について説明する。
【００４１】
図１１に示されているように、折り畳みコンテナーが折り畳まれ、長側壁２が、略水平に倒された状態においては、後から倒された長側壁２に配設された第２雄ヒンジ部材Ｈ２”を構成する水平側壁持ち上がり防止用ブロック部１１０が、底部１の長辺側土手部１ａに配設された第２雌ヒンジ部材Ｈ１”を構成する水平側壁持ち上がり防止用フック９の庇部９ａに当接、或いは、水平側壁持ち上がり防止用フック９の庇部９ａに接近して位置するように構成されている。従って、後から倒された水平状態の長側壁２が、上方に持ち上げられても、長側壁２に配設された第２雄ヒンジ部材Ｈ２”を構成する水平側壁持ち上がり防止用ブロック部１１０が、底部１の長辺側土手部１ａに形成された第２雌ヒンジ部材Ｈ１”を構成する水平側壁持ち上がり防止用フック９の庇部９ａに当接し、水平状態の長側壁２のそれ以上の持ち上がりが阻止されるので、従って、底部１と水平状態の長側壁２とのヒンジ連結が解除されるようなことがない。
【００４２】
また、図１２に示されているように、長側壁２が、略水平に倒された状態においては、長側壁２に配設された第１雄ヒンジ部材Ｈ２’を構成する垂直側壁持ち上がり防止用ブロック部１１が、底部１の長辺側土手部１ａに形成された第１雌ヒンジ部材Ｈ１’を構成する垂直側壁持ち上がり防止用フック７の庇部７ａから離れて位置したり、或いは、垂直側壁持ち上がり防止用フック７の庇部７ａから外れて位置していても、上述したように、後から倒された水平状態の長側壁２が、上方に持ち上げられても、長側壁２に配設された第２雄ヒンジ部材Ｈ２”を構成する水平側壁持ち上がり防止用ブロック部１１０が、底部１の長辺側土手部１ａに配設された第２雌ヒンジ部材Ｈ１”を構成する水平側壁持ち上がり防止用フック９の庇部９ａに当接することになり、従って、底部１と水平状態の長側壁２とのヒンジ連結が解除されるようなことがない。
【００４３】
次に、図１３〜図１６を用いて、折り畳みコンテナーが、図１に示されているように、箱型に組み立てられた状態における、底部１に配設された第１雌ヒンジ部材Ｈ１’と長側壁２に配設された第１雄ヒンジ部材Ｈ２’とのヒンジ連結部及び底部１に配設された第２雌ヒンジ部材Ｈ１”と長側壁２に配設された第２雄ヒンジ部材Ｈ２”とのヒンジ連結部について説明する。
【００４４】
先ず最初に、図１３及び図１４を用いて、底部１に配設された第１雌ヒンジ部材Ｈ１’と長側壁２に配設された第１雄ヒンジ部材Ｈ２’とのヒンジ連結部について説明する。
【００４５】
長側壁２が、略垂直に立てられた状態においては、長側壁２に配設された第１雄ヒンジ部材Ｈ２’を構成する垂直側壁持ち上がり防止用ブロック部１１が、底部１の長辺側土手部１ａに配設された第１雌ヒンジ部材Ｈ１’を構成する垂直側壁持ち上がり防止用フック７の庇部７ａに入り込み、垂直側壁持ち上がり防止用フック７の庇部７ａに当接、或いは、垂直側壁持ち上がり防止用フック７の庇部７ａに接近して位置するように構成されており、長側壁２が上方への持ち上げられた際には、長側壁２に配設された第１雄ヒンジ部材Ｈ２’を構成する垂直側壁持ち上がり防止用ブロック部１１が、底部１の長辺側土手部１ａに配設された第１雌ヒンジ部材Ｈ１’を構成する垂直側壁持ち上がり防止用フック７の庇部７ａに当接し、長側壁２のそれ以上の持ち上がりが阻止されので、従って、底部１と垂直状態の長側壁２とのヒンジ連結が解除されるようなことがない。
【００４６】
先ず最初に、図１５及び図１６を用いて、底部１に配設された第２雌ヒンジ部材Ｈ１”と長側壁２に配設された第２雄ヒンジ部材Ｈ２”とのヒンジ連結部について説明する。
【００４７】
折り畳みコンテナーが箱型に組み立てられ、長側壁２が、略垂直に立てられた状態においては、長側壁２に配設された第２雄ヒンジ部材Ｈ２”を構成する水平側壁持ち上がり防止用ブロック部１１０が、底部１の長辺側土手部１ａに配設された第２雌ヒンジ部材Ｈ１”を構成する水平側壁持ち上がり防止用フック９の庇部９ａから、所定距離、離れた下方に位置していても、上述したように、長側壁２に配設された第１雄ヒンジ部材Ｈ２’を構成する垂直側壁持ち上がり防止用ブロック部１１が、底部１の長辺側土手部１ａに配設された第１雌ヒンジ部材Ｈ１’を構成する垂直側壁持ち上がり防止用フック７の庇部７ａに入り込み、垂直側壁持ち上がり防止用フック７の庇部７ａに当接、或いは、垂直側壁持ち上がり防止用フック７の庇部７ａに接近して位置するように構成されているので、長側壁２が持ち上げられるようなことはない。
【００４８】
上述したように、長側壁２に配設された第１雄ヒンジ部材Ｈ２’と底部１の長辺側土手部１ａに配設された第１雌ヒンジ部材Ｈ１’とがヒンジ連結されているとともに、長側壁２の下端フランジ２ａに配設された第２雄ヒンジ部材Ｈ２”と底部１の長辺側土手部１ａに配設された第２雌ヒンジ部材Ｈ１”とがヒンジ連結されており、長側壁２に配設された第１雄ヒンジ部材Ｈ２’と底部１の長辺側土手部１ａに配設された第１雌ヒンジ部材Ｈ１’とのヒンジ連結部により、折り畳みコンテナーが折り畳まれ、水平状態の長側壁２の持ち上げが阻止されて、折り畳みコンテナーが折り畳まれた状態の底部１と長側壁２とのヒンジ連結が解除されないように構成されており、また、長側壁２に配設された第２雄ヒンジ部材Ｈ２”と底部１の長辺側土手部１ａに配設された第２雌ヒンジ部材Ｈ１”とのヒンジ連結部により、折り畳みコンテナーが箱型に組み立てられ、垂直状態の長側壁２の持ち上げが阻止されて、折り畳みコンテナーが箱型に組み立てられた状態の底部１と長側壁２のヒンジ連結が解除されないように構成されている。
【００４９】
本実施例には、図３に示されているように、底部１の長辺側土手部１ａに形成されている３つの雌ヒンジ部材のうち、両端部に位置する雌ヒンジ部材が、第１雌ヒンジ部材Ｈ１’として構成され、中央部に位置する雌ヒンジ部材が、第２雌ヒンジ部材Ｈ１”として構成されている例が示されており、また、図６に示されているように、長側壁２に形成されている３つの雄ヒンジ部材のうち、両端部に位置する雄ヒンジ部材が、第１雄ヒンジ部材Ｈ２’として構成され、中央部に位置する雄ヒンジ部材が、第２雄ヒンジ部材Ｈ２”として構成されている例が示されているが、底部１の長辺側土手部１ａに形成されている雌ヒンジ部材の個数や長側壁２に形成されている雄ヒンジ部材の個数は、３個に限定されることなく、少なくとも、複数個、形成されていればよく、且つ、底部１の長辺側土手部１ａに形成されている雌ヒンジ部材と長側壁２に形成されている雄ヒンジ部材とによるヒンジ連結部のうち、少なくとも、１つのヒンジ連結部が、折り畳みコンテナーが折り畳まれた状態の底部１と水平状態の長側壁２とのヒンジ連結が解除されないように、長側壁２に配設された第１雄ヒンジ部材Ｈ２’と底部１の長辺側土手部１ａに配設された第１雌ヒンジ部材Ｈ１’とのヒンジ連結部により構成され、また、底部１の長辺側土手部１ａに配設されている雌ヒンジ部材と長側壁２に形成されている雄ヒンジ部材とによるヒンジ連結部のうち、少なくとも、１つのヒンジ連結部は、折り畳みコンテナーが箱型に組み立てられた状態の底部１と長側壁２のヒンジ連結が解除されないように、長側壁２に配設された第１雄ヒンジ部材Ｈ２’と底部１の長辺側土手部１ａに配設された第１雌ヒンジ部材Ｈ１’とのヒンジ連結部により構成されている。
【００５０】
上述したように、底部１と長側壁２とのヒンジ連結部のうち、少なくとも１つのヒンジ連結部は、水平状態の長側壁２と底部１とのヒンジ連結が解除されないように、底部１の長辺側土手部１ａに配設された第１雌ヒンジ部材Ｈ１’と長側壁２に配設された第１雄ヒンジ部材Ｈ２’とにより構成し、また、底部１と長側壁２とのヒンジ連結部のうち、少なくとも１つのヒンジ連結部は、垂直状態の長側壁２と底部１とのヒンジ連結が解除されないように、底部１の長辺側土手部１ａに配設された第２雌ヒンジ部材Ｈ１”と長側壁２に配設された第２雄ヒンジ部材Ｈ２”とにより構成したので、上述した特許文献１に記載されているような、支持片の下端部に、ヒンジブロックが形成され、また、ヒンジブロックの上方に、係合ブロックが形成されている雄ヒンジ部材のように、倒された状態の側壁を、垂直方向に立てる際に、係合ブロックが、底部の土手部に当接したり、或いは、土手部に乗り上げるようなことがなく、従って、倒された状態の長側壁２を、迅速に、且つ、確実に、略垂直に立てることができる。
【００５１】
また、第１雄ヒンジ部材Ｈ２’及び第２雄ヒンジ部材Ｈ２”には、上述した特許文献１に記載されているような係合ブロックが形成されていないので、支持ブロック１０、１００の長側壁２の下端フランジ２ａからの長さを短くすることができ、従って、支持ブロック１０、１００、ひいては、第１雄ヒンジ部材Ｈ２’及び第２雄ヒンジ部材Ｈ２”が損傷するようなことを防止することができる。
【００５２】
更に、第１雄ヒンジ部材Ｈ２’及び第２雄ヒンジ部材Ｈ２”の支持ブロック１０、１００には、上述した特許文献１に記載されているような係合ブロックが形成されていないので、長側壁２を成形するための金型の製造コストを低減することができる。
【図面の簡単な説明】
【００５３】
【図１】図１は、箱型に組み立てられた状態の本発明の折り畳みコンテナーの斜視図である。
【図２】図２は、折り畳まれた状態の本発明の折り畳みコンテナーの斜視図である。
【図３】図３は、本発明の折り畳みコンテナーを構成する底部の斜視図である。
【図４】図４は、本発明の折り畳みコンテナーを構成する底部に配設された第１雌ヒンジ部材の拡大斜視図である。
【図５】図５は、本発明の折り畳みコンテナーを構成する底部に配設された第２雌ヒンジ部材の拡大斜視図である。
【図６】図６は、本発明の折り畳みコンテナーを構成する長側壁の斜視図である。
【図７】図７は、本発明の折り畳みコンテナーを構成する長側壁に配設された第１雄ヒンジ部材の拡大斜視図である。
【図８】図８は、同じく、本発明の折り畳みコンテナーを構成する長側壁に配設された第１雄ヒンジ部材の拡大斜視図である。
【図９】図９は、本発明の折り畳みコンテナーを構成する長側壁に配設された第２雄ヒンジ部材の拡大斜視図である。
【図１０】図１０は、同じく、本発明の折り畳みコンテナーを構成する長側壁に配設された第２雄ヒンジ部材の拡大斜視図である。
【図１１】図１１は、本発明の折り畳みコンテナーが折り畳まれた状態の底部の第２雌ヒンジ部材と長側壁の第２雄ヒンジ部材とによるヒンジ連結部の部分垂直断面図である。
【図１２】図１２は、本発明の折り畳みコンテナーが折り畳まれた状態の底部の第１雌ヒンジ部材と長側壁の第１雄ヒンジ部材とによるヒンジ連結部の部分垂直断面図である。
【図１３】図１３は、本発明の折り畳みコンテナーが箱型に組み立てられた状態の底部の第１雌ヒンジ部材と長側壁の第１雄ヒンジ部材とによるヒンジ連結部の部分垂直断面図である。
【図１４】図１４は、本発明の折り畳みコンテナーが箱型に組み立てられた状態の底部の第１雌ヒンジ部材と長側壁の第１雄ヒンジ部材とによるヒンジ連結部の部分斜視図である。
【図１５】図１５は、本発明の折り畳みコンテナーが箱型に組み立てられた状態の底部の第２雌ヒンジ部材と長側壁の第２雄ヒンジ部材とによるヒンジ連結部の部分垂直断面図である。
【図１６】図１６は、本発明の折り畳みコンテナーが箱型に組み立てられた状態の底部の第２雌ヒンジ部材と長側壁の第２雄ヒンジ部材とによるヒンジ連結部の部分斜視図である。
【符号の説明】
【００５４】
Ｈ１’・・・・・・・・・・・・・第１雌ヒンジ部材
Ｈ１”・・・・・・・・・・・・・第２雌ヒンジ部材
Ｈ２’・・・・・・・・・・・・・第１雄ヒンジ部材
Ｈ２”・・・・・・・・・・・・・第２雄ヒンジ部材
１・・・・・・・・・・・・・・・底部
２・・・・・・・・・・・・・・・長側壁
３・・・・・・・・・・・・・・・短側壁
７・・・・・・・・・・・・・・・垂直側壁持ち上がり防止用フック
９・・・・・・・・・・・・・・・水平側壁持ち上がり防止用フック
１１・・・・・・・・・・・・・・垂直側壁持ち上がり防止用ブロック部
１２・・・・・・・・・・・・・・水平側壁持ち上がり防止用ブロック部
【図１】
0005001779.tif 000002
【図２】
0005001779.tif 000003
【図３】
0005001779.tif 000004
【図４】
0005001779.tif 000005
【図５】
0005001779.tif 000006
【図６】
0005001779.tif 000007
【図７】
0005001779.tif 000008
【図８】
0005001779.tif 000009
【図９】
0005001779.tif 000010
【図１０】
0005001779.tif 000011
【図１１】
0005001779.tif 000012
【図１２】
0005001779.tif 000013
【図１３】
0005001779.tif 000014
【図１４】
0005001779.tif 000015
【図１５】
0005001779.tif 000016
【図１６】
0005001779.tif 000017